(57)【要約】  【課題】  弾丸が当たる感圧紙のセンサーが正確に反応し得ない問題点、弾丸が表示板の的の境界線に着弾した場合、どちらの点数が表示されるか不正確な問題点があった。  【解決手段】  ターゲット部１は、中央部と複数のリング状部を設けてなる的表面部４、的表面部４の裏面と離隔して設けられる回路基板６とを備える。的表面部４は、表面側の中央部を最も高くし複数のリング状部は中心から周辺になるほど相対的に低くして形成し、裏面側に中央部及び複数のリング状部のそれぞれに対応する位置に突起を中央押圧部４０ａ及び複数のリング状押圧部４０ｂ−−として形成する。回路基板６は、的表面部４の中央押圧部及び複数のリング状押圧部のそれぞれに対応する位置に輪状に独立的な端子６０を設けているブルズアイターゲット装置による。【選択図】  図２
2006023046.tif 000002
【特許請求の範囲】
【請求項１】
ターゲット部と、ターゲット部と電気的に接続可能に設けた表示部とからなり、
ターゲット部は、中央部と中央部の外側に中央部と同心状の複数のリング状部を設けてなる的表面部、及び的表面部の裏面側に的表面部の裏面と離隔して設けられる回路基板とを少なくとも備えており、
的表面部は、その表面側を中央部を最も高くし複数のリング状部は中心から周辺になるほど相対的に低く形成するとともに、裏面側に中央部及び複数のリング状部のそれぞれに対応する位置に、対応する形状の突起を中央押圧部及び複数のリング状押圧部として形成し、
回路基板は、的表面部の中央押圧部及び複数のリング状押圧部のそれぞれに対応する位置に円状又は輪状に独立的な端子を設けるとともに、
弾丸が、ターゲット部の的表面部の表面側の中央部又はいずれかのリング状部に当ることによって対応する中央押圧部又はリング状押圧部の１つが、回路基板のそれぞれ対応する端子の１つと接触することによって当該回路が通電し、その接触した端子に対応した信号を表示部に送信することを特徴とするブルズアイターゲット装置。
【請求項２】
ターゲット部と、ターゲット部と電気的に接続可能に設けた表示部とからなり、
ターゲット部は、円形中央部と円形中央部の外側に円形中央部と同心状の複数のリング状部を設けてなる的表面部、及び的表面部の裏面側に押圧変形可能に設けられた接触板、及び接触板の裏面側に接触板の裏面とは離隔して設けられ回路基板とを少なくとも備えており、
的表面部は、その表面側を円形中央部を最も高くし複数のリング状部は中心から周辺になるリング状部ほど相対的に低く形成するとともに、裏面側に円形中央部及び複数のリング状部のそれぞれに対応する中央押圧部及び複数のリング状押圧部を形成し、
接触板は、的表面部側である表面を、的表面部の中央押圧部及び複数のリング状押圧部のそれぞれによって押圧される被押圧面とし、裏面側を押圧変形時に回路基板に接触する接触面として形成するとともに、裏面側に的表面部の中央押圧部及び複数のリング状押圧部のそれぞれの境界に対応する位置にリング状に突起する境界突起を形成し、
回路基板は、的表面部の中央押圧部及び複数のリング状押圧部のそれぞれに対応する位置に円状又は輪状に独立的な端子を設けるとともに、
弾丸が、ターゲット部の的表面部の表面側の円形中央部又はいずれかのリング状部に当ることによって対応する中央押圧部又はリング状押圧部の１つが、接触板のいずれか１つの接触面を押し、押された１つの接触面が回路基板のそれぞれ対応する端子の一つと接触することによって当該回路が通電し、その接触した端子に対応した信号を表示部に送信することを特徴とするブルズアイターゲット装置。
【請求項３】
的表面部の中央部と複数のリング状部のそれぞれは、弾丸が表面側の中央部又はいずれかのリング状部に当った場合、それぞれ独立的に変形して、対応する中央押圧部又はリング状押圧部の１つが、回路基板のそれぞれ対応する端子と接触する請求項１又は請求項２に記載のブルズアイターゲット装置。
【発明の詳細な説明】
【技術分野】
【０００１】
この発明は、競技用ピストル、遊技用ピストル等によって５ｍ乃至１０ｍ程度離れた位置からブルズアイターゲット装置といわれる的に弾丸を当てる装置に関する。
【背景技術】
【０００２】
ブルズアイターゲット競技は、精密射撃競技の代表的なものであり、又多くのピストル競技者が基本訓練として利用する競技でもある。例えば、１０年前より開催されている精密射撃競技の「ＡＰＳカップ」におけるブルズアイターゲット競技は、的に対して２分間で５発撃ち、それを２回繰り返して合計点を競う競技である。
【０００３】
ブルズアイターゲット競技に使用されるブルズアイターゲットといわれる的は、いわゆる最高得点の中央部から一定の幅の複数の同心円を多重に連ねた円板状の的であり、競技は、競技者が決められた一定時間内で複数の弾丸を的に向かって撃ち、その合計点を競う競技である。そして弾丸は中心に近い方の同心円に当ったときほど点数が高い。
【０００４】
また、ブルズアイターゲット競技は、弾丸が的の境界線に触れて当たった場合、当たった範囲が境界線よりどちらに多い面積で接触しているかで決めるのではなく、弾丸が少しでも触れた境界線の内側の点数とする、すなわち高い点数とするという規則がある。
【０００５】
ブルズアイターゲット装置の従来技術としては、的の表面板を紙製、あるいは感圧紙で形成した的が公知である（従来技術１）。このような従来技術１では、的の表面板に弾丸が当った位置が丸い痕跡となるため、境界線に弾丸が触れているかなどの判定には便利であり、正確であった。
【０００６】
また、的の他、的と電気的な接続線を持ち、電気的信号を使用して的に当った弾丸の点数を表示部に表示可能なブルズアイターゲット装置も知られている（従来技術２）。このようなブルズアイターゲット装置としては、的の裏面又は表面に感圧センサーを設けて、弾丸が当ると通電して、表示部にその当った部分の点数を表示できる装置が知られていた。
【発明の開示】
【発明が解決しようとする課題】
【０００７】
しかし、従来技術１のような「表面板を紙製、あるいは感圧紙で形成した的」である場合、自動表示部がなく点数の合計などを競技者自身や審判が競技後行う必要があった。
【０００８】
また、従来技術１であると、競技練習者が室内等で練習する場合や競技者が競技を行う場合に、数発撃ち一定時間の競技が終了するまでは、自分が現在何点得ているかが、的が遠すぎるため正確に見えず中間の合計得点を確認できないという問題点を有していた。
【０００９】
また、従来技術１の的は、紙製であるので、同じ的を数回使用した場合、前の着弾丸点が消えず、新しい着弾丸点との差が解らなくなるため、何回も繰り返しの使用が不可能である問題点があった。
【００１０】
また、従来技術２のように的の表面板に弾丸が当たると、その圧力を感圧センサーが感知して、電気的変換により信号化して表示部に送信して表示することができるため、表面板と表示部をつなぐコードを長くして表示部を競技者の近くに置けば合計得点を見られる利点はあった。しかしながら従来技術２においては、弾丸が表面板に当たる速さや強さが一定でないため、感圧センサーが正確に反応し得ない問題点があった。
【００１１】
更に、従来技術２では、弾丸が表示板の的の境界線に着弾した場合、どちらの点数が表示されるかは、その時の感圧センサーの反応した側の点数が表示されてしまう。したがって一般的には着弾地点の接触範囲の多い側が、強い圧力を感じるため、実際とは異なる不正確な点数表示が出る比率が高い可能性があった。例えば、着弾範囲が境界線より外側が多い場合に、競技においては境界線の内側の高い方の点数が採用されなければならないが、従来技術２では圧力を多く感じる、或は早く接触する方を表示するため、外側の低い点数として表示してしまう可能性が高かった。したがって誤表示となり、それらを合計するため、撃つ弾丸数が多いほど、誤表示や誤作動が起こり易く、合計点数も不正確になる問題点があった。
【課題を解決するための手段】
【００１２】
上記課題を解決するため、ターゲット部と、ターゲット部と電気的に接続可能に設けた表示部とからなり、
ターゲット部は、中央部と中央部の外側に中央部と同心状の複数のリング状部を設けてなる的表面部、及び的表面部の裏面側に的表面部の裏面と離隔して設けられる回路基板とを少なくとも備えており、
的表面部は、その表面側を中央部を最も高くし複数のリング状部は中心から周辺になるほど相対的に低く形成するとともに、裏面側に中央部及び複数のリング状部のそれぞれに対応する位置に、対応する形状の突起を中央押圧部及び複数のリング状押圧部として形成し、
回路基板は、的表面部の中央押圧部及び複数のリング状押圧部のそれぞれに対応する位置に円状又は輪状に独立的な端子を設けるとともに、
弾丸が、ターゲット部の的表面部の表面側の中央部又はいずれかのリング状部に当ることによって対応する中央押圧部又はリング状押圧部の１つが、回路基板のそれぞれ対応する端子の一つと接触することによって当該回路が通電し、その接触した端子に対応した信号を表示部に送信することを特徴とするブルズアイターゲット装置を提案する。
【００１３】
また、ターゲット部と、ターゲット部と電気的に接続可能に設けた表示部とからなり、
ターゲット部は、円形中央部と円形中央部の外側に円形中央部と同心状の複数のリング状部を設けてなる的表面部、及び的表面部の裏面側に押圧変形可能に設けられた接触板、及び接触板の裏面側に接触板の裏面とは離隔して設けられ回路基板とを少なくとも備えており、
的表面部は、その表面側を円形中央部を最も高くし複数のリング状部は中心から周辺になるリング状部ほど相対的に低く形成するとともに、裏面側に円形中央部及び複数のリング状部のそれぞれに対応する中央押圧部及び複数のリング状押圧部を形成し、
接触板は、的表面部側である表面を、的表面部の中央押圧部及び複数のリング状押圧部のそれぞれによって押圧される被押圧面とし、裏面側を押圧変形時に回路基板に接触する接触面として形成するとともに、裏面側に的表面部の中央押圧部及び複数のリング状押圧部のそれぞれの境界に対応する位置にリング状に突起する境界突起を形成し、
回路基板は、的表面部の中央押圧部及び複数のリング状押圧部のそれぞれに対応する位置に円状又は輪状に独立的な端子を設けるとともに、
弾丸が、ターゲット部の的表面部の表面側の円形中央部又はいずれかのリング状部に当ることによって対応する中央押圧部又はリング状押圧部の１つが、接触板のいずれか１つの接触面を押し、押された１つの接触面が回路基板のそれぞれ対応する端子の一つと接触することによって当該回路が通電し、その接触した端子に対応した信号を表示部に送信することを特徴とするブルズアイターゲット装置を提案する。
【００１４】
更に、的表面部の中央部と複数のリング状部のそれぞれは、弾丸が表面側の中央部又はいずれかのリング状部に当った場合、それぞれ独立的に変形して、対応する中央押圧部又はリング状押圧部の１つが、回路基板のそれぞれ対応する端子と最初に接触する００１２欄又は００１３欄に記載のブルズアイターゲット装置を提案する。
【発明の効果】
【００１５】
この発明によれば、的に着弾した位置を正確に判定し、瞬時に表示部へ送信して点数化することが可能となった。すなわち、的の表面が、境界線の内側と外側で高さが異なるため、境界線に触れて着弾する場合、弾丸は必ず内側の高い点数側の的の方に最初に当たり圧力を掛ける構造であるため、その点数側に対応する回路基板の端子が接触して通電され、その点数を正確に表示することができる。
【００１６】
また、請求項２に掛る発明のように、「接触板は、その裏面に的表面部の中央押圧部及び複数のリング状押圧部のそれぞれに対応する位置の接触面を裏面側へ変形可能に設け、それぞれの接触面の裏面側の境界にリング状に設けられた境界突起を形成」することにより、弾丸の押圧力を他の点数の部位にまで及ぼさず、より正確に点数の表示ができるという効果がある。参考図として図１４に、接触板の裏面側にリング状の境界突起を設けていない場合に弾丸が的表面部に当たったところのターゲット部の断面説明図を示す。
【発明を実施するための最良の形態】
【００１７】
この発明の実施形態であるブルズアイターゲット装置を示す図１乃至図１３に基づいて説明する。尚、ターゲット部１に関し、図１、図２及び図５乃至図９は第１実施形態のターゲット部１ａを示し、図１０及び図１１は第２実施形態のターゲット部１ｂの的表面部８を示し、図１３は第３実施形態のターゲット部１ｃを示す。この発明の実施形態であるブルズアイターゲット装置は、図３に示すようにターゲットケース３に設けられるターゲット部１と、ターゲット部１とコード７等によって電気的に接続されている表示部２（図４）とからなる。コード７の長さは適宜であるが、一般的に５ｍ乃至１０ｍ程度である。
【００１８】
ターゲットケース３の正面を表わす図１及び図１のＡＡ線断面を表わす図２に示すようにターゲット部１は、円形中央部４ａと円形中央部４ａの外側に円形中央部４ａと同心状の３つのリング状部４ｂ、４ｃ、４ｄを設けてなる的表面部４、及び的表面部４の裏面側に押圧変形可能に設けられた接触板５、及び接触板５の裏面側に接触板５の裏面とは離隔して設けられ回路基板６とを少なくとも備えている。３０は基板ケースであり、ターゲットケース３に固定されている。
【００１９】
的表面部４は、円形中央部４ａと、円形中央部４ａの外側に円形中央部４ａと同心状の複数のリング状部、この実施例では３つのリング状部４ｂ、４ｃ、４ｄを設けてなる。的表面部４は、その表面側に最も高得点の円形中央部４ａの高さを最も高くし、最も点の低い一番外側の第３リング状部４ｄほど相対的に低くして形成する。すなわち図５に示すように円形中央部４ａの外周に隣接する第１リング状部４ｂは、円形中央部４ａより少し表面を低く形成され、第１リング状部４ｂの外周に隣接する第２リング状部４ｃは、第１リング状部４ｂより少し表面を低く形成され、第２リング状部４ｃの外周に隣接する最外周の第３リング状部４ｄは、第２リング状部４ｃより更に少し表面を低く形成されている。最外周の第３リング状部４ｄの外側には、更に表面が低い点数外表面部４２を形成してターゲットケース３のケース表面を覆っている。
【００２０】
図８と図９に示す的表面部４の第１実施形態では、的表面部４の円形中央部４ａと第１リング状部４ｂとの間、第１リング状部４ｂと第２リング状部４ｃとの間、第２リング状部４ｃと第３リング状部４ｄとの間、第３リング状部４ｄと点数外表面部４２との間は、それぞれ断面がＵ字形状でリング状の４つの連結部４１ａ、４１ｂ、４１ｃ、４１ｄによって一体的に繋がって形成されている。
【００２１】
また、図１０と図１１に示す的表面部８の第２実施形態では、的表面部８の円形中央部４ａと第１リング状部４ｂとの間、第１リング状部４ｂと第２リング状部４ｃとの間、第２リング状部４ｃと第３リング状部４ｄとの間、第３リング状部４ｄと点数外表面部４２との間は、それぞれ部分連結部８ａ、８ｂ、８ｃ、８ｄによって一体的に繋がって形成されているが、それぞれの部分連結部８ａ、８ｂ、８ｃ、８ｄは、リングの中間適宜位置に適宜数、適宜寸法の複数の切欠部８０ａ、８０ｂ、８０ｃ、８０ｄを設けている。
【００２２】
また、的表面部４は、その裏面側に円形中央部４ａと３つのリング状部である第１リング状部４ｂ、第２リング状部４ｃ、第３リング状部４ｄのそれぞれに対応する裏面側に裏面方向に突起した円形の中央押圧部４０ａと３つの輪状に突起した第１リング状押圧部４０ｂ、第２リング状押圧部４０ｃ、第３リング状押圧部４０ｄを形成している。これらの円形の中央押圧部４０ａと第１リング状押圧部４０ｂ、第２リング状押圧部４０ｃ、第３リング状押圧部４０ｄの裏面側の押圧先端面は、平面的に揃えられた位置に配設される。
【００２３】
第１実施形態の的表面部４の表面を構成する円形中央部４ａ、第１リング状部４ｂ、第２リング状部４ｃ、第３リング状部４ｄ、点数外表面部４２及びそれぞれの連結部４１ａ、４１ｂ、４１ｃ、４１ｄ及び４つの中央押圧部４０ａ、リング状押圧部４０ｂ、４０ｃ、４０ｄは、軟質合成樹脂、合成ゴム等の弾性のある素材によって一体的に形成されている。また、図１０と図１１に示す第２実施形態の的表面部８の表面を構成する円形中央部４ａ、第１リング状部４ｂ、第２リング状部４ｃ、第３リング状部４ｄ、点数外表面部４２及びそれぞれの連結部８ａ、８ｂ、８ｃ、８ｄ及び４つの中央押圧部４０ａ、リング状押圧部４０ｂ、４０ｃ、４０ｄも第１実施形態と同様軟質合成樹脂、合成ゴム等の弾性のある素材によって一体的に形成されている。
【００２４】
的表面部４の他の実施形態としては、連結部４１ａ、４１ｂ、４１ｃ、４１ｄを設けず、円形中央部４ａ、第１リング状部４ｂ、第２リング状部４ｃ、第３リング状部４ｄ、点数外表面部４２をそれぞれ独立に形成後、互いに独立的な作動が可能なように連結して設けてもよい。更に、それぞれの押圧部４０も的表面部４、８の表面側の板状体とは独立に形成してから表面側の板状体の裏面に接着剤等で固定して的表面部４、８を形成してもよい。
【００２５】
接触板５は、通電性があり弾性力がある素材から形成される。この実施例では接触板５は、コンタクトラバーで形成される。コンタクトラバーからなる接触板５は、的表面部４側である表面を平面的に形成され、的表面部４の中央押圧部４０ａ及び第１リング状押圧部４０ｂ、第２リング状押圧部４０ｃ、第３リング状押圧部４０ｄとは等間隔に離隔してそれぞれによって押圧可能な被押圧面として設けられている。
【００２６】
接触板５の裏面側は、的表面部４の中央押圧部４０ａ及び第１リング状押圧部４０ｂ、第２リング状押圧部４０ｃ、第３リング状押圧部４０ｄのそれぞれの位置に対応する位置に、中央接触面５０ａ及び第１リング状接触面５０ｂ、第２リング状接触面５０ｃ、第３リング状接触面５０ｄとして形成するとともに、押圧変形時に回路基板６のそれぞれの回路端子に接触することができる。
【００２７】
更に、接触板５は、裏面側に的表面部４の中央押圧部４０ａ、第１リング状押圧部４０ｂ、第２リング状押圧部４０ｃ、第３リング状押圧部４０ｄのそれぞれの境界に対応する位置にリング状に突起する第１境界突起５１ａ、第２境界突起５１ｂ、第３境界突起５１ｃを形成している。したがって接触板５の裏面側において円形の中央接触面５０ａは、リング状に突起する第１境界突起５１ａに囲まれている。また第１リング状接触面５０ｂは、リング状に突起する第１境界突起５１ａとその外周の第２境界突起５１ｂによって囲まれたリング状面である。同様に第２リング状接触面５０ｃは、リング状に突起する第２境界突起５１ｂとその外周の第３境界突起５１ｃによって囲まれたリング状面である。同様に第３リング状接触面５０ｄは、リング状に突起する第３境界突起５１ｃとその外周の基板ケース３０のリング状突起３１によって囲まれたリング状面である。
【００２８】
回路基板６は、図１２に示すように的表面部４の中央押圧部４０ａに対応する位置に円状の中央端子６０ａ、第１リング状押圧部４０ｂに対応する位置にリング状に第１端子６０ｂ、第２リング状押圧部４０ｃに対応する位置にリング状に第２端子６０ｃ、第３リング状押圧部４０ｄに対応する位置にリング状に第３端子６０ｄをそれぞれ互いに独立して設ける。これらの中央端子６０ａ、第１端子６０ｂ、第２端子６０ｃ、第３端子６０ｄは、それぞれ対応する接触板５の中央接触面５０ａ、第１リング状接触面５０ｂ、第２リング状接触面５０ｃ、第３リング状接触面５０ｄと接触することにより、接触した当該回路のみが通電し、その接触された端子６０ｘに対応した信号をコード７を通して、射撃手の近くに置かれた表示部２に送信して、対応する点数が表示部２に表示される。
【００２９】
表示部２は、ブルズアイターゲット競技に対応しており、通常５発撃ち、それを２回繰り返して合計点を競うため、それぞれ５発に対応する点数表示と、それらの合計点を電気的に数字化して表示する数字表示部位を複数有する。
【００３０】
次に、この発明の第１実施形態であるブルズアイターゲット装置の作用について説明する。ブルズアイターゲット装置は、図３に示すように射撃手Ｐの近くの視認可能な処に表示部２を置いて、５ｍ程度離れた位置にターゲットケース３を的表面部４を備えた面を射撃手Ｐに向けて置く。射撃手Ｐが、弾丸Ｂをターゲットケース３の的表面部４に向かって撃つと、弾丸Ｂは、図６又は図７に示すように的表面部４の円形中央部４ａ、第１リング状部４ｂ、第２リング状部４ｃ、第３リング状部４ｄ、又は点数外表面部４２のいずれかに当たる。
【００３１】
例えば、図６に示すように弾丸Ｂが的表面部４の第１リング状部４ｂに当たった場合、第１リング状部４ｂの裏面にある第１リング状押圧部４０ｂが対応する接触板５の第１接触面５０ｂを押す。このとき、的表面部４が、図８と図９に示す第１実施形態であると、的表面部４の円形中央部４ａと第１リング状部４ｂとの間、第１リング状部４ｂと第２リング状部４ｃとの間、第２リング状部４ｃと第３リング状部４ｄとの間、第３リング状部４ｄと点数外表面部４２との間が、それぞれ断面がＵ字形状の４つの連結部４１ａ、４１ｂ、４１ｃ、４１ｄによって一体的に繋がっているため、弾丸Ｂによって押圧される部位の変形の動きが、的表面部４の隣接する部位に連動しにくくそれぞれ独立的に変形するように形成されている。すなわち、弾丸Ｂが当たった第１リング状部４ｂの変形する動きは、隣接する円形中央部４ａと第２リング状部４ｃには伝達しにくく、ほとんど連動しない。
【００３２】
また、図１０と図１１に示す的表面部８の第２実施形態では、的表面部８の円形中央部４ａと第１リング状部４ｂとの間、第１リング状部４ｂと第２リング状部４ｃとの間、第２リング状部４ｃと第３リング状部４ｄとの間、第３リング状部４ｄと点数外表面部４２との間は、適宜位置に複数設けた切欠部８０ａ、８０ｂ、８０ｃ、８０ｄによって部分連結部８ａ、８ｂ、８ｃ、８ｄがリング状に断続する形状になっている。そのため、作用は第１実施形態のＵ字状連結部４１ａ、４１ｂ、４１ｃ、４１ｄと同様弾丸Ｂによって押圧される部位の変形の動きが、的表面部４の隣接する部位に連動しにくくそれぞれ独立的に変形するように形成されている。すなわち、弾丸Ｂが当たった第１リング状部４ｂの変形する動きは、円形中央部４ａ、第２リング状部４ｃには伝達しにくく、ほとんど連動しない。
【００３３】
そして第１リング状押圧部４０ｂに押された接触板５の第１接触面５０ｂは、第１境界突起５１ａと第２境界突起５１ｂに囲まれているので、第１接触面５０ｂのみが裏面側に変形して凹み、対応する回路基板６の第１端子６０ｂと接触する。このとき隣接する中央接触面５０ａと第２接触面５０ｃは、第１境界突起５１ａと第２境界突起５１ｂのためにそれぞれに対応する中央端子６０ａ、第２端子６０ｃに接触することはない。比較例として接触板５に各境界突起５１ａ、５１ｂ、５１ｃが無い場合を参考図として図１４に示す。比較例では、図１４に示されるように接触板５の広い面積が凹んでしまい、接触位置に複数の端子６０ｘに接触してしまうため、正確な信号を表示部２に送信することができない。
【００３４】
また、図７に示すように弾丸Ｂが的表面部４の第１リング状部４ｂと第２リング状部４ｃとの境界に当たった場合、弾丸Ｂがかなり外側の第２リング状部４ｃ側に寄っていたとしても、表面が高く先に弾丸Ｂに当たる第１リング状部４ｂの方が先に凹み始める。そして第１リング状部４ｂ裏面にある第１リング状押圧部４０ｂが対応する接触板５の第１接触面５０ｂを押す。このとき的表面部４及び的表面部８の表面側は、円形中央部４ａを高くして周辺に行く第３リング状部４ｄほど低く形成されているが、それぞれの裏面側に対応して形成される各押圧部４０ａ、４０ｂ、４０ｃ、４０ｄの先端面は、平面的に揃えられているため、高い位置で押圧された押圧部４０ｘが最初に対応する接触面５０ｘに接触することが可能である。
【００３５】
また、的表面部４及び的表面部８の動きは００３１欄に前述した通りである。すなわち、弾丸Ｂによって押圧される１つの部位の変形の動きは、的表面部４の隣接する部位に連動しにくく形成されている。すなわち、弾丸Ｂが当たった第１リング状部４ｂの変形する動きは、隣接する円形中央部４ａと第２リング状部４ｃをあまり変形させない。
【００３６】
そして第１リング状押圧部４０ｂに押された接触板５の第１接触面５０ｂは、第１境界突起５１ａと第２境界突起５１ｂに囲まれているので、第１接触面５０ｂのみが裏面側に変形して凹み、対応する回路基板６の第１端子６０ｂと接触する。このとき隣接する中央接触面５０ａや第２接触面５０ｃは、第１境界突起５１ａと第２境界突起５１ｂのために対応する中央端子６０ａや第２端子６０ｃに接触することはない。
【００３７】
弾丸Ｂがターゲット部１の的表面部４のいずれかの表面部又は境界に当たり、それに対応する接触板５の接触面５０ｘが押圧されていずれかの端子６０ｘに触れることで、その接触した端子６０ｘに対応する回路のみが通電し、その信号がコード７を通して表示部２に伝達され、瞬時に数字化されて正確に表示される。表示部２は、射撃手Ｐに視認可能な位置に配置することにより、練習中、又は競技中いつでも正確な点数の確認ができる。このようにして、射撃手Ｐは、自宅等の室内においても練習することがが可能となる。
【００３８】
更に、図１３に示すこの発明の第３実施形態のブルズアイターゲット装置について説明する。図１３は、第３実施形態のターゲット部１ｃの縦断面図であり、図５と同様に円形中央部４ａと円形中央部４ａの外側に円形中央部４ａと同心状の３つのリング状部４ａ、４ｂ、４ｃを設けてなる的表面部４、及び的表面部４の裏面側に的表面部４の各押圧部４０の押圧先端面とは接触可能に離隔して設けられる回路基板６とを備えている。３０は基板ケースであり、ターゲットケース３に固定されている。
【００３９】
第３実施形態のブルズアイターゲット装置のターゲット部１ｃは、第１実施形態及び第２実施形態のターゲット部１から、接触板５を除いた構成からなるとともに、的表面部４全体又は少なくとも的表面部４の裏面側に形成される各押圧部４０のみを接触板５と同様な素材、すなわち通電性があり弾性力がある素材から形成される。この実施例では的表面部４全体又は的表面部４の裏面側に形成される押圧部４０の押圧先端面が、コンタクトラバーで形成される。図１３の実施例では、的表面部４全体をコントクトラバーで形成している。
【００４０】
コンタクトラバーからなる的表面部４は、この発明の第１実施形態の的表面部４又は第２実施形態の的表面部８と同様な形状である。すなわち、的表面部４は、その裏面側に円形中央部４ａと３つのリング状部である第１リング状部４ｂ、第２リング状部４ｃ、第３リング状部４ｄのそれぞれに対応する裏面側に裏面方向に突起した円形の中央押圧部４０ａと３つの輪状に突起した第１リング状押圧部４０ｂ、第２リング状押圧部４０ｃ、第３リング状押圧部４０ｄを形成している。これらの円形の中央押圧部４０ａと第１リング状押圧部４０ｂ、第２リング状押圧部４０ｃ、第３リング状押圧部４０ｄの裏面側の押圧先端面は、平面的に揃えられた位置に配設され、数ｍｍ離隔した回路基板６のそれぞれ対応する端子６０ａ、６０ｂ、６０ｃとそれぞれ等間隔離隔している。
【００４１】
次に、この発明の第３実施形態であるブルズアイターゲット装置の作用について説明する。第３実施形態のターゲット部１ｃの的表面部４又は８は、第１実施形態又は第２実施形態と同じであるから、弾丸Ｂが的表面部４の何れかの部位、例えば第１リング状部４ｂに当たった場合、第１リング状部４ｂの裏面にある第１リング状押圧部４０ｂがその押圧先端面で回路基板６の対応する第１端子６０ｂと接触する。このとき、弾丸Ｂによって押圧される部位の変形の動きが、的表面部４の隣接する部位に連動しにくくそれぞれ独立的に変形するように形成されている。すなわち、弾丸Ｂが当たった第１リング状部４ｂの変形する動きは、隣接する円形中央部４ａと第２リング状部４ｃには伝達しにくく、ほとんど連動しないために、中央端子６０ａや第２端子６０ｃに接触することはない。
【００４２】
そして、的表面部４全体又は少なくとも的表面部４の裏面側に形成される押圧部４０の押圧先端面が通電性のあるコンタクトラバーで形成されているため、弾丸Ｂが当たった何れかの部位の押圧部４０ｘの押圧先端面が、対応する端子６０ｘに触れることで、その接触した端子６０ｘに対応する回路のみが通電し、その信号がコード７を通して表示部２に伝達され、瞬時に数字化されて正確に表示される。表示部２は、射撃手Ｐに視認可能な位置に配置することにより、練習中、又は競技中いつでも正確な点数の確認ができる。このようにして、射撃手Ｐは、自宅等の室内においても練習することがが可能となる。
【産業上の利用可能性】
【００４３】
この発明は、競技用ピストルを使用したブルズアイターゲット競技の競技用装置、又は練習用装置として自宅等の室内等において利用可能性が高い。
【図面の簡単な説明】
【００４４】
【図１】この発明の実施形態を示し、ブルズアイターゲット装置のターゲットケースの正面図
【図２】同じく図１のＡＡ線断面図
【図３】同じくこの発明の実施形態であるブルズアイターゲット装置を使用した競技又は練習状態を示す使用説明図
【図４】同じく表示部の斜視図
【図５】この発明の第１実施形態のターゲット部の縦断面図
【図６】同じく第１実施形態のターゲット部の縦断面図であり弾丸が第１リング状部に当たったときの状態を示す図
【図７】同じく第１実施形態のターゲット部の縦断面図であり弾丸が第１リング状部と第２リング状部との境界に当たったときの状態を示す図
【図８】同じく第１実施形態のターゲット部の的表面部の正面図
【図９】同じく図８のＢＢ線断面図
【図１０】この発明の第２実施形態のターゲット部の的表面部の正面図
【図１１】同じく図１０のＣＣ線断面図
【図１２】この発明の実施形態である回路基板の正面図
【図１３】この発明の第３実施形態のターゲット部の縦断面図
【図１４】参考図であり、この発明の比較例として接触板に境界突起を設けない場合の作動を示す作動説明図
【符号の説明】
【００４５】
１  ターゲット部  
１ａ  ターゲット部（第１実施形態）
１ｂ  ターゲット部（第２実施形態）
１ｃ  ターゲット部（第３実施形態）
２  表示部  
３  ターゲットケース  
３０  基板ケース
３１  リング状突起
４  的表面部（第１実施形態）
４ａ  円形中央部
４０ａ  中央押圧部
４１ａ  連結部
４ｂ  第１リング状部
４０ｂ  第１リング状押圧部
４１ｂ  連結部
４ｃ  第２リング状部
４０ｃ  第２リング状押圧部
４１ｃ  連結部
４ｄ  第３リング状部
４０ｄ  第３リング状押圧部
４１ｄ  連結部
４２  点数外表面部
５  接触板
５０ａ  中央接触面
５０ｂ  第１リング状接触面
５０ｃ  第２リング状接触面
５０ｄ  第３リング状接触面
５１ａ  第１境界突起
５１ｂ  第２境界突起
５１ｃ  第３境界突起
６  回路基板
６０ａ  中央端子
６０ｂ  第１端子
６０ｃ  第２端子
６０ｄ  第３端子
７  コード
８  的表面部（第２実施形態）
４ａ  円形中央部
４０ａ  中央押圧部
８ａ  部分連結部
８０ａ  切欠部
４ｂ  第１リング状部
４０ｂ  第１リング状押圧部
８ｂ  部分連結部
８０ｂ  切欠部
４ｃ  第２リング状部
４０ｃ  第２リング状押圧部
８ｃ  部分連結部
８０ｃ  切欠部
４ｄ  第３リング状部
４０ｄ  第３リング状押圧部
８ｄ  部分連結部
８０ｄ  切欠部
【図１】
2006023046.tif 000003
【図２】
2006023046.tif 000004
【図３】
2006023046.tif 000005
【図４】
2006023046.tif 000006
【図５】
2006023046.tif 000007
【図６】
2006023046.tif 000008
【図７】
2006023046.tif 000009
【図８】
2006023046.tif 000010
【図９】
2006023046.tif 000011
【図１０】
2006023046.tif 000012
【図１１】
2006023046.tif 000013
【図１２】
2006023046.tif 000014
【図１３】
2006023046.tif 000015
【図１４】
2006023046.tif 000016